(57)【要約】【課題】樹脂の合流部を無くし、かつ、複数個のローターと同じ機能を１個のローターで行わせる流体用スクリーンチェンジャーの提供。【解決手段】円柱状の回動棒がその中心軸線回りに回動できるよう案内する回動棒孔と、回動棒孔の円周方向回りで隔置された入口通路および出口通路と、交換孔を有するケーシング本体と、回動棒孔に回動自在に挿入され、複数本の可動通路を持った１本の回動棒と、回動棒の一端に結合された回動駆動軸と、可動通路の少なくとも１本に挿入された濾過手段とを含み、通常運転時に、濾過手段を持つ１本の可動通路が入口通路，出口通路に連通し、他の可動通路が入口，出口から遮断され、濾過手段の交換時に、他の可動通路が入口通路，出口通路に連通し、濾過手段を持つ可動通路が入口，出口から遮断され、かつ、濾過手段が交換孔に対向するようにしたこと。【選択図】　　　　図３
2004034423.tif 000002
【特許請求の範囲】
【請求項１】
円柱状の回動棒がその中心軸線回りに回動できるよう案内する回動棒孔と、該回動棒孔の円周方向回りで隔置された入口通路および出口通路と、交換孔を有するケーシング本体と、
前記回動棒孔に回動自在に挿入され、複数本の可動通路を持った１本の回動棒と、
該回動棒の一端に結合された回動駆動軸と、
前記可動通路の少なくとも１本に挿入された濾過手段とを含み、
通常運転時に、前記濾過手段を持つ１本の可動通路が入口通路，出口通路に連通し、他の可動通路が入口，出口から遮断され、濾過手段の交換時に、前記他の可動通路が入口通路，出口通路に連通し、前記濾過手段を持つ可動通路が入口，出口から遮断され、かつ、前記濾過手段が前記交換孔に対向するようにした流体用スクリーンチェンジャー。
【請求項２】
円柱状の回動棒がその中心軸線回りに回動できるよう案内する回動棒孔と、該回動棒孔の円周方向回りで隔置された入口通路および出口通路と、一方交換孔および他方交換孔を有するケーシング本体と、
前記回動棒孔に回動自在に挿入され、食い違い交差する２本の可動通路を外円周面に貫通して持った１本の回動棒と、
該回動棒の一端に結合された回動駆動軸と、
前記可動通路に挿入された濾過手段とを含み
通常運転時に一方可動通路が入口通路，出口通路に連通し、他方可動通路が入口，出口から遮断され、かつ、前記他方可動通路の濾過手段が前記他方交換孔に対向するようにした流体用スクリーンチェンジャー。
【請求項３】
円柱状の回動棒がその中心軸線回りに回動できるよう案内する回動棒孔と、該回動棒孔の円周方向回りで隔置された入口通路および出口通路と、一方交換孔および他方交換孔を有するケーシング本体と、
外円周面に貫通した一方可動通路と、該一方可動通路に対し、軸方向に間隔を存し、外円周面に沿って円弧状に長い溝からなる他方可動通路を持つ１本の回動棒と、
該回動棒の一端に結合された回動駆動軸と、
前記可動通路に挿入された濾過手段と、
通常運転時に一方可動通路が入口通路，出口通路に連通し、他方の可動通路が入口，出口から遮断され、かつ、前記他方可動通路の濾過手段が前記他方交換孔に対向するようにした流体用スクリーンチェンジャー。
【請求項４】
前記可動通路は、主通路と補助通路からなり、または、該補助通路に相当したものが、前記回動棒孔内面に設けられたことを特徴とする請求項１または２または３記載の流体用スクリーンチェンジャー。
【請求項５】
円柱状の回動棒がその中心軸線回りに回動できるよう案内する回動棒孔と、該回動棒孔の円周方向回りで隔置された入口通路および出口通路と、前記入口通路および出口通路に対し、前記回動棒孔の軸方向に間隔を存し、内円周面に沿って円弧状に長い溝からなる他方固定通路と、交換孔を有するケーシング本体と、
外円周面に貫通した一方可動通路と、該一方可動通路に対し、円周方向に間隔を存し、外円周面の軸方向に沿って長い溝からなる２本の他方可動通路を持つ１本の回動棒と、
該回動棒の一端に結合された回動駆動軸と、
前記一方可動通路に挿入された濾過手段とを含み、
通常運転時に一方可動通路が入口通路，出口通路に連通し、他方の可動通路と固定通路が入口，出口から遮断され、濾過手段交換時に、前記濾過手段が前記交換孔に対向し、前記他方可動通路と他方固定通路が前記入口通路，出口通路に連通するようにした流体用スクリーンチェンジャー。
【請求項６】
前記ケーシング本体において、前記入口通路に対し、前記回動棒の円周方向に偏位した位置に、前記回動棒孔の内面から前記本体の外面に至る排出通路と、
前記回動棒において、前記可動通路に対し、前記回動棒の円周方向または軸方向に偏位した位置に設けられ、前記可動通路の内面から前記回動棒の外円周面に至る可動補助通路とを含み、
逆洗浄時に、一方可動通路の濾過部入口が入口通路から遮断され、補助可動通路が出口に連通し、他方可動通路が入口，出口と連通するようにしたことを特徴とする前記請求項１または２または３または４記載の流体用スクリーンチェンジャー。
【請求項７】
前記ケーシング本体において、前記入口通路に対し、前記回動棒の円周方向に偏位した位置に、前記回動棒孔の内面から前記本体の外面に至る排出通路と、
該排出通路に設けられた弁と、
前記回動棒において、前記可動通路に対し、前記回動棒の円周方向または軸方向に偏位した位置に設けられ、前記可動通路の内面から前記回動棒の外円周面に至る可動補助通路とを含み、
逆洗浄時に、一方可動通路の濾過部入口が入口通路から遮断され、補助可動通路が出口に連通し、他方可動通路が入口，出口と連通するようにしたことを特徴とする前記請求項１または２または３または４記載の流体用スクリーンチェンジャー。
【請求項８】
円柱状の回動棒がその中心軸線回りに回動できるよう案内する回動棒孔と、該回動棒孔の円周方向回りで隔置された入口通路および出口通路と、交換孔を有するケーシング本体と、
前記回動棒孔に回動自在に挿入され、１本の可動通路を、外円周面に貫通して持った１本の回動棒と、
該回動棒の一端に結合された回動駆動軸と、
前記可動通路に挿入された濾過手段と、
通常運転時に、可動通路が入口通路，出口通路に連通し、交換時に可動通路が入口，出口から遮断され、かつ、前記濾過手段が前記交換孔に対向するようにした流体用スクリーンチェンジャー。
【請求項９】
円柱状の回動棒がその中心軸線回りに回動できるよう案内する回動棒孔と、該回動棒孔の円周方向回りで隔置された入口通路および出口通路と、交換孔を有するケーシング本体と、
前記回動棒孔に回動自在に挿入され、１本の可動通路を、外円周面に貫通して持った１本の回動棒と、
該回動棒の一端に結合された回動駆動軸と、
前記可動通路に挿入された濾過手段と、
前記回動棒または前記ケーシング本体の回動棒孔に設けられたバイパス通路とを含み、、
通常運転時に、可動通路が入口通路，出口通路に連通し、交換時に可動通路が入口，出口から遮断され、バイパス通路が連通され、かつ、前記濾過手段が前記交換孔に対向するようにした流体用スクリーンチェンジャー。
【請求項１０】
前記可動通路は、回動棒の直径上を通る前記請求項のいずれか１項記載の流体用スクリーンチェンジャー。
【請求項１１】
前記可動通路は、回動棒の半径上で方向転換する前記請求項のいずれか１項記載の流体用スクリーンチェンジャー。
【請求項１２】
前記可動通路は、回動棒の直径上を通って端部で方向転換する前記請求項のいずれか１項記載の流体用スクリーンチェンジャー。
【請求項１３】
前記濾過手段は多孔板とスクリーンを含むことを特徴とする前記請求項いずれか１項記載の流体用スクリーンチェンジャー。
【請求項１４】
前記濾過手段は有底濾過筒からなり、補強多孔筒と、その外周または内周または中間に張られたスクリーンとを含む前記請求項のいずれか１項記載の流体用スクリーンチェンジャー。
【請求項１５】
前記円弧状溝からなる他方可動通路の入口に取り付けられた前記濾過手段は、短円筒台と、該台の中途に取り付けられた多孔板とスクリーンとを含み、前記短円筒台には前記円弧状溝に通じる開口が設けられたことを特徴とする請求項３記載の流体用スクリーンチェンジャー。
【請求項１６】
前記有底濾過筒は多数の濾過孔を持つ筒体からなることを特徴とする前記請求項のいずれか１項記載の流体用スクリーンチェンジャー。
【請求項１７】
前記ケーシング本体において、前記濾過手段が逆洗浄位置に来たとき、逆洗流体の入口側が対向する部分に連通して設けられた強制排出手段とを含む前記請求項いずれか１項記載の流体用スクリーンチェンジャー。
【発明の詳細な説明】
【０００１】
【発明の属する技術分野】本発明は、例えばプラスチックの押出成形に使用され、スクリュー式樹脂溶融装置（押出機）のスクリュー先端部に設けられ、流体の異物除去用スクリーンの交換装置に関する。
【０００２】
【従来の技術】プラスチック押出成形機において溶融樹脂中の不純物を取るため、押出成形機のシリンダー先端部にスクリーンチェンジャーが取り付けられる。本出願の発明者は、目詰まりしたスクリーンを交換したり、逆洗浄したりする場合に、樹脂の流れを切らさずに、製品を連続成形するために、永く種々の研究開発を続けてきた。そのうちの一つは、特開平９−２２５９９３号公報に記載されたものである。即ち、複数のローターにそれぞれスクリーン部を設け、一方ローターがスクリーン交換の位置にあっても、他方ローターを樹脂の全量が通る。このようにして、如何なるときでも樹脂流れの中断をなくするようにしたものである。
【０００３】
【発明が解決しようとする課題】しかしながら、なお、次のような問題が生じた。即ち、樹脂の種類によっては、チェンジャーの２本の流路をほぼ等量流れ出てきた樹脂は出口で合流する。このとき、フィルム等の製品では合流部に筋が残ることがある。
本発明は上記課題を解決し、樹脂の合流部を無くし、かつ、複数個のローターと同じ機能を１個のローターで行わせる流体用スクリーンチェンジャーを提供することを目的とする。
【０００４】
【課題を解決するための手段】上記課題を解決するため、本発明の構成は次のとおりとする。即ち、第１構成は、円柱状の回動棒がその中心軸線回りに回動できるよう案内する回動棒孔と、該回動棒孔の円周方向回りで隔置された入口通路および出口通路と、交換孔を有するケーシング本体と、前記回動棒孔に回動自在に挿入され、複数本の可動通路を持った１本の回動棒と、該回動棒の一端に結合された回動駆動軸と、前記可動通路の少なくとも１本に挿入された濾過手段とを含み、通常運転時に、前記濾過手段を持つ１本の可動通路が入口通路，出口通路に連通し、他の可動通路が入口，出口から遮断され、濾過手段の交換時に、前記他の可動通路が入口通路，出口通路に連通し、前記濾過手段を持つ可動通路が入口，出口から遮断され、かつ、前記濾過手段が前記交換孔に対向するようにしたことである。
【０００５】
第２構成は、円柱状の回動棒がその中心軸線回りに回動できるよう案内する回動棒孔と、該回動棒孔の円周方向回りで隔置された入口通路および出口通路と、一方交換孔および他方交換孔を有するケーシング本体と、前記回動棒孔に回動自在に挿入され、食い違い交差する２本の可動通路を外円周面に貫通して持った１本の回動棒と、該回動棒の一端に結合された回動駆動軸と、前記可動通路に挿入された濾過手段とを含み、通常運転時に一方可動通路が入口通路，出口通路に連通し、他方可動通路が入口，出口から遮断され、かつ、前記他方可動通路の濾過手段が前記他方交換孔に対向するようにしたことである。
【０００６】
第３構成は、円柱状の回動棒がその中心軸線回りに回動できるよう案内する回動棒孔と、該回動棒孔の円周方向回りで隔置された入口通路および出口通路と、一方交換孔および他方交換孔を有するケーシング本体と、外円周面に貫通した一方可動通路と、該一方可動通路に対し、軸方向に間隔を存し、外円周面に沿って円弧状に長い溝からなる他方可動通路を持つ１本の回動棒と、該回動棒の一端に結合された回動駆動軸と、前記可動通路に挿入された濾過手段と、通常運転時に一方可動通路が入口通路，出口通路に連通し、他方の可動通路が入口，出口から遮断され、かつ、前記他方可動通路の濾過手段が前記他方交換孔に対向するようにしたことである。
【０００７】
第４構成は、第１または第２または第３構成に加え、前記可動通路は、主通路と補助通路からなり、または、該補助通路に相当したものが、前記回動棒孔内面に設けられたことである。
【０００８】
第５構成は、円柱状の回動棒がその中心軸線回りに回動できるよう案内する回動棒孔と、該回動棒孔の円周方向回りで隔置された入口通路および出口通路と、前記入口通路および出口通路に対し、前記回動棒孔の軸方向に間隔を存し、内円周面に沿って円弧状に長い溝からなる他方固定通路と、交換孔を有するケーシング本体と、外円周面に貫通した一方可動通路と、該一方可動通路に対し、円周方向に間隔を存し、外円周面の軸方向に沿って長い溝からなる２本の他方可動通路を持つ１本の回動棒と、該回動棒の一端に結合された回動駆動軸と、前記一方可動通路に挿入された濾過手段とを含み、通常運転時に一方可動通路が入口通路，出口通路に連通し、他方の可動通路と固定通路が入口，出口から遮断され、濾過手段交換時に、前記濾過手段が前記交換孔に対向し、前記他方可動通路と他方固定通路が前記入口通路，出口通路に連通するようにしたことである。
【０００９】
第６構成は、第１または第２または第３または第４構成に加え、前記ケーシング本体において、前記入口通路に対し、前記回動棒の円周方向に偏位した位置に、前記回動棒孔の内面から前記本体の外面に至る排出通路と、前記回動棒において、前記可動通路に対し、前記回動棒の円周方向または軸方向に偏位した位置に設けられ、前記可動通路の内面から前記回動棒の外円周面に至る可動補助通路とを含み、逆洗浄時に、一方可動通路の濾過部入口が入口通路から遮断され、補助可動通路が出口に連通し、他方可動通路が入口，出口と連通するようにしたことである。
【００１０】
第７構成は、第１または第２または第３または第４構成に加え、前記ケーシング本体において、前記入口通路に対し、前記回動棒の円周方向に偏位した位置に、前記回動棒孔の内面から前記本体の外面に至る排出通路と、該排出通路に設けられた弁と、前記回動棒において、前記可動通路に対し、前記回動棒の円周方向または軸方向に偏位した位置に設けられ、前記可動通路の内面から前記回動棒の外円周面に至る可動補助通路とを含み、逆洗浄時に、一方可動通路の濾過部入口が入口通路から遮断され、補助可動通路が出口に連通し、他方可動通路が入口，出口と連通するようにしたことである。
【００１１】
第８構成は、円柱状の回動棒がその中心軸線回りに回動できるよう案内する回動棒孔と、該回動棒孔の円周方向回りで隔置された入口通路および出口通路と、交換孔を有するケーシング本体と、前記回動棒孔に回動自在に挿入され、１本の可動通路を、外円周面に貫通して持った１本の回動棒と、該回動棒の一端に結合された回動駆動軸と、前記可動通路に挿入された濾過手段と、通常運転時に、可動通路が入口通路，出口通路に連通し、交換時に可動通路が入口，出口から遮断され、かつ、前記濾過手段が前記交換孔に対向するようにしたことである。
【００１２】
第９構成は、円柱状の回動棒がその中心軸線回りに回動できるよう案内する回動棒孔と、該回動棒孔の円周方向回りで隔置された入口通路および出口通路と、交換孔を有するケーシング本体と、前記回動棒孔に回動自在に挿入され、１本の可動通路を、外円周面に貫通して持った１本の回動棒と、該回動棒の一端に結合された回動駆動軸と、前記可動通路に挿入された濾過手段と、前記回動棒または前記ケーシング本体の回動棒孔に設けられたバイパス通路とを含み、通常運転時に、可動通路が入口通路，出口通路に連通し、交換時に可動通路が入口，出口から遮断され、バイパス通路が連通され、かつ、前記濾過手段が前記交換孔に対向するようにしたことである。
【００１３】
第１０構成は、前記構成のいずれか１構成に加え、前記可動通路は、回動棒の直径上を通ることである。
【００１４】
第１１構成は、前記構成のいずれか１構成に加え、前記可動通路は、回動棒の半径上で方向転換することである。
【００１５】
第１２構成は、前記構成のいずれか１構成に加え、前記可動通路は、回動棒の直径上を通って端部で方向転換することである。
【００１６】
第１３構成は、前記構成のいずれか１構成に加え、前記濾過手段は多孔板とスクリーンを含むことである。
【００１７】
第１４構成は、前記構成のいずれか１構成に加え、前記濾過手段は有底濾過筒からなり、補強多孔筒と、その外周または内周または中間に張られたスクリーンとを含むことである。
【００１８】
第１５構成は、第３構成に加え、前記円弧状溝からなる他方可動通路の入口に取り付けられた前記濾過手段は、短円筒台と、該台の中途に取り付けられた多孔板とスクリーンとを含み、前記短円筒台には前記円弧状溝に通じる開口が設けられたことである。
【００１９】
第１６構成は、前記構成のいずれか１構成に加え、前記有底濾過筒は多数の濾過孔を持つ筒体からなることである。
【００２０】
第１７構成は、前記構成のいずれか１構成に加え、前記ケーシング本体において、前記濾過手段が逆洗浄位置に来たとき、逆洗流体の入口側が対向する部分に連通して設けられた強制排出手段とを含むことである。
【００２１】
【発明の実施の形態】以下に本発明の実施態様を図面に示す一実施例に基づき説明する。図１，２，３において、ケーシング本体１０は外形が正面視で横長矩形，側面視で矩形（大略正方形），平面視で横長矩形をなした鋼のブロック状である。そして、後記回動棒がその軸方向に回動できるよう案内する円筒形の回動棒孔１７が左右方向中心線上に設けられる。
【００２２】
該ケーシング本体１０には、前記ケーシング本体の一方外面（前面）から前記回動棒孔１７を連通して他方外面（後面）に開口するように、水平線上に同心に入口通路１１，出口通路１２が設けられる。
【００２３】
図３において、前記回動棒孔１７にはほぼ同心に１本の円柱形の回動棒２が回動自在に挿入される。回動棒２は、直径方向に貫通し、食い違い直交する２本の第１主可動通路２ａ，第２主可動通路２ａ’を持つ。第１主可動通路２ａは前後方向，第２主可動通路２ａ’は上下方向に向いている。前記各主可動通路２ａ，２ａ’の一端に第１，第２濾過手段として、第１，第２多孔板３，３’および第１，第２スクリーン４，４’が挿入される。
【００２４】
また、前記回動棒２において、前記第１主可動通路２ａの反スクリーン側端から、回動棒２の下方円周方向にほぼ４５度偏位した位置まで、外周面に沿って第１補助可動通路２ｂが設けられる。また、第２主可動通路２ａ’の反スクリーン側端から前記回動棒２の上方円周方向（前記第１補助可動通路２ｂに近づく方向）にほぼ４５度偏位した位置まで、外周面に沿って、第２補助可動通路２ｂ’が設けられる。更に、第２主可動通路２ａ’のスクリーン側端から前記回動棒２の下方円周方向（前記第１スクリーン３に近づく方向）にほぼ４５度偏位した位置まで、外周面に沿って、第２他方補助可動通路２ｃ’が設けられる。
【００２５】
図３で前記ケーシング本体１０において、前記入口通路１１に対し前記回動棒孔１７の下方円周方向にほぼ４５度偏位した位置に、前記回動棒孔１７の内面から前記本体の外下面に至る排出通路１３が設けられ、ここに弁７が設けられる。
【００２６】
回動棒孔１７の内円周面の円周方向において、入口通路１１，出口通路１２および排出通路１３が開口する範囲を除いた範囲で、かつ、ケーシング本体１０の外面に最も近い範囲（図示ではケーシング本体１０の上面、下面）には、それらの間を貫通する第１，第２濾過手段を交換するときに開かれる第１，第２交換丸孔１４，１５が設けられる。そして、この孔を開閉する第１，第２栓体８，８’がボルトにより着脱される。
【００２７】
前記回動棒孔１７の両端で、ケーシング本体１０に一対のケーシングカバー３１が取り付けられる。回動棒２の一端（右端）に結合された回動駆動軸５ａがカバー３１を回動自在に貫通して突出し、その先端に回動手段５たる電動モーターが結合されて、カバー３１に取付けられる。
【００２８】
以下に作動状態を説明する。図２，３の運転状態において、樹脂は入口通路１１、第１スクリーン４、第１多孔板３、第１可動通路２ａを経て、出口通路１２から出て行く。このように、第１主可動通路２ａは通常運転状態で常に解放され、樹脂は第１主可動通路２ａを流れる。排出通路１３の弁７は閉状態である。
【００２９】
そして、図４のように第１スクリーン３が目詰まりを生じたとき、回動棒２を４５度左回動させる。これにより、第１主可動通路２ａは、入口通路１１とは遮断されるが、排出通路１３と連通し、第１補助可動通路２ｂが出口通路１２と通じる。また、第２主可動通路２ａ’が入口通路１１と出口通路１２とに通じ、樹脂は、入口通路１１、第２一方補助可動通路２ｃ’、（第２多孔板３’，第２スクリーン４’を通り）第２可動通路２ａ’第２補助可動通路２ｂ’を経て、出口通路１２より出て行く。そして、弁７を開けば、第２可動通路２ａ’を通過した樹脂の一部が、出口通路１２から前記第１補助可動通路２ｂを経て第１可動通路２ａを逆流し、第１スクリーン４の目詰まりを解消させて、排出通路１３から出て行く。
【００３０】
以上のように、一方の樹脂通路のスクリーンに付着した不純物を洗浄している時でも、他方の樹脂通路は入口１１，出口１２に通じているため、製品ラインにおける樹脂切れは起こらない。逆洗浄が終わると回動棒２を図３の状態に戻し、きれいになったスクリーン４によって樹脂が濾過されて製品ができるようになる。このようなことを何回か繰り返していても、残留不純物が累積され、スクリーン４の交換が必要となる。
【００３１】
図５は、その状態を示す。即ち、回動棒２は図３により左方向へ９０度回転したものである。第１可動通路２ａは入口１１，出口１２より遮断される。栓体８を外してスクリーン４あるいは多孔板３が取り出され、新しいものと交換される。この間に樹脂は第２主可動通路２ａ’，補助通路２ｂ’，２ｃ’を通り、第２スクリーン４’で濾過され製品となる。第１多孔板３，第１スクリーン４が新しくなると、回動棒２が右へ９０度回転し、図３の状態になる。なお、第２可動通路２ａ’の第２多孔板３’，第２スクリーン４’を交換するには、図３の状態で第２栓体８’を外して行う。
【００３２】
第２可動通路２ａ’に樹脂が流れるのは、第１可動通路２ａの第１スクリーン４の逆洗浄のときと、第１スクリーン４の取り替え時のみに限られるため、第２可動通路２ａ’を第１主可動通路２ａに流れる時間と比べて非常に短い。従って、第２スクリーン４’の目詰まり時間も長くなり、図３における第２栓体８’を外しての第２スクリーン４’あるいは第２多孔板３’の交換頻度は極めて少なく、逆洗浄の必要は余りない。
【００３３】
前記回動棒２は手動で回されてもよく、この場合は回動手段５として回動軸が設けられる。前記弁７は省略できる。
【００３４】
図６において、前記第１多孔板３と第１スクリーン４に代えて、有底濾過筒２０が用いられ、濾過面積の大幅な増大が図られる。有底濾過筒２０は底側を第１主可動通路２ａの入口側大径側に位置し、次のように構成される。補強多孔筒２１は直円筒（またはテーパ円筒）を呈し、その外周（または内周，中間）に円筒スクリーン２２が装着される。補強多孔筒２１の一端にネジで取り付けられた底部材２３は、外側中央が外側に凸となっている。案内部材２４は底部材２３の内側の軸線上に突設された先細テーパ棒状を呈する。フランジ部材２５は多孔筒２１の開口側に設けられた円環状を呈し、ケーシング本体１０の内面に対向する部分は円柱回動棒２の外周面に面一となる円筒面を持つ。
【００３５】
回動棒２の第１主可動通路２ａは、通常運転で入口１１側が広いテーパ孔（または直円筒孔）となり、その中に有底濾過筒２０が底側を入口１１側にして取り付けられる。ケーシングの一直線上に入口１１，出口１２が位置する。補助通路２ｂの溝は、第１主可動通路２ａの出口から円周方向で排出通路１３の手前で４５度の範囲まで設けられる。
【００３６】
流体は入口１１から入り、有底濾過筒２０の外部から、スクリーン２２と多孔筒２１を通過して内部に入り、案内部材２４に案内されつつ出口１２から出て行く。排出通路１３の弁７は閉状態である。
【００３７】
次に、スクリーン２２が目詰まりを生じれば、図４と同様に、回動棒２が４５度回され、同時に弁７が開放される。これにより入口１１は閉鎖され、可動通路２ａは排出通路１３と、補助可動通路２ｂを経て出口１２と繋がる。従って、出口１２の流体の一部は、補助通路２ｂを通って有底濾過筒２０の内側に至り、更にスクリーン２２を逆方向に通過して逆洗し、排出通路１３から出て行く。その後、弁７は閉鎖され、回動棒２は元の図６の状態に戻る。
【００３８】
図７〜９に示す実施例は、図６に対し、流れ方向が直角に転向されるものである。即ち図７で、前後（水平）方向に向いた入口通路１１に対し、出口通路１２は直角下方に向いて本体１０の下面に開口する。この出口通路１２に通じるように第１主可動通路２ａに対し、その端部で直角に第１補助通路２ｂが設けられる。第２主可動通路２ａ’は上下方向に向き、一端に第２多孔板３’および第２スクリーン４’が挿入される。また、第２補助通路２ｂ’は回動棒２の軸方向に延びる。
【００３９】
図７で、流体は入口１１から入り、有底濾過筒２０の外部からスクリーン２２と多孔筒２１を通過して内部に入り、案内部材２４に案内されつつ、出口１２から出て行く。排出通路１３の弁７は閉状態である。
【００４０】
そして、図８のように第１スクリーン２２が目詰まりを生じたとき、回動棒２を４５度左回動させる。これにより、第１主可動通路２ａは、入口通路１１とは遮断されるが、排出通路１３と連通し、第１補助可動通路２ｂが出口通路１２と通じる。また、第２可動通路２ａ’が入口通路１１と出口通路１２とに通じ、樹脂は、入口通路１１，第２一方補助可動通路２ｃ’，（第２多孔板３’，第２スクリーン４’を通り）第２可動通路２ａ’，第２補助可動通路２ｂ’を経て、出口通路１２より出て行く。そして、弁７を開けば、第２可動通路２ａ’を通過した樹脂の一部が、出口通路１２から前記第１補助可動通路２ｂを経て、第１可動通路２ａを逆流し、第１スクリーン２２の目詰まりを解消させて、排出通路１３から出て行く。
【００４１】
一方の樹脂通路のスクリーンに付着した不純物を逆洗している時でも、他方の樹脂通路２ａ’は入口１１，出口１２に通じているため、製品ラインにおける樹脂切れは起こらない。逆洗浄が終わると、回動棒２を図７の状態に戻し、きれいになったスクリーン２２によって樹脂が濾過されて製品ができるようになる。
【００４２】
図９は、有底濾過筒２０の交換の状態を示す。即ち、回動棒２は図７より左方向へ９０度回転したものである。第１可動通路２ａは入口１１，出口１２より遮断される。栓体８を外して有底濾過筒２０が取り出され、スクリーン２２が新しいものと交換される。この間に樹脂は第２主可動通路２ａ’を通り、第２スクリーン４’で濾過され製品となる。第１スクリーン２２が新しくなると、回動棒２が右へ回転し、図７の状態になる。なお、第２可動通路２ａ’の第２多孔板３’，第２スクリーン４’を交換するには、図９の状態で第２栓体８’を外す。
【００４３】
図１０〜１３に示す実施例は、一方の通路が回動棒２を貫通し、他方の通路が回動棒２の円周上に設けられた溝となったものである。即ち、回動棒２の直径上を貫通して外円周面に至る第１可動通路２ａが設けられ、補助通路２ｂの溝は第１主可動通路２ａの出口から円周方向で４５度の範囲まで設けられる。該第１可動通路に対し、軸方向に間隔を存し、外円周面の円周方向に沿って、円弧状に長い（ほぼ１８０度の範囲）溝からなる第２主可動通路２ａ’が設けられ、第２補助通路２ｂ’，２ｃ’は回動棒２の軸方向に延びる。
【００４４】
図１１，１２で、前記円弧状溝からなる第２可動通路２ａ’の第２補助通路２ｂ’入口に取り付けられた濾過手段３０は、短円筒台３１と、該台の中途に取り付けられた多孔板３２とスクリーン３３とからなる。前記短円筒台３１には、前記円弧状溝に通じる開口３１ａが設けられる。
【００４５】
図１３で、流体は入口１１から入り、有底濾過筒２０の外部から、スクリーン２２と多孔筒２１を通過して内部に入り、案内部材２４に案内されつつ、出口１２から出て行く。排出通路１３の弁７は閉状態である。
【００４６】
そして、図１４のように第１スクリーン２２が目詰まりを生じたとき、回動棒２を４５度左回動させる。これにより、第１主可動通路２ａは、入口通路１１とは遮断されるが排出通路１３と連通し、第１補助可動通路２ｂが出口通路１２と通じる。また、第２主可動通路２ａ’が入口通路１１と出口通路１２とに通じ、樹脂は、入口通路１１，第２一方補助可動通路２ｃ’、（第２多孔板３２，第２スクリーン３３を通り）、第２主可動通路２ａ’，第２補助可動通路２ｂ’をへて、出口通路１２より出て行く。そして、弁７を開けば、第２主可動通路２ａ’を通過した樹脂の一部が、出口通路１２から前記第１補助可動通路２ｂを経て、第１可動通路２ａを逆流し、第１スクリーン２２の目詰まりを解消させて、排出通路１３から出て行く。
【００４７】
一方の樹脂通路のスクリーンに付着した不純物を逆洗している時でも、他方の樹脂通路２ａ’は入口１１，出口１２に通じているため、製品ラインにおける樹脂切れは起こらない。逆洗浄が終わると回動棒２を図１３の状態に戻し、きれいになったスクリーン２２によって樹脂が濾過されて製品ができるようになる。
【００４８】
図１５は有底濾過筒２０の交換の状態を示す。即ち、回動棒２は図１３より左方向へ９０度回転したものである。第１可動通路２ａは入口１１，出口１２より遮断される。第１栓体８を外して有底濾過筒２０が取り出され、スクリーン２２が新しいものと交換される。この間に第２主可動通路２ａ’を通り、第２スクリーン３３で濾過され製品となる。第１スクリーン２２が新しくなると、回動棒２が右へ回転し、図１３の状態になる。なお、第２可動通路２ａ’の濾過手段３０を交換するには、図１３の状態で第２栓体８’を外して行う。
なお、前記において、可動通路のいずれかの濾過手段を取り除いてもよく、可動通路の少なくとも１本に濾過手段を設ければ良い。
【００４９】
図１６〜１９は、回動棒に一方可動通路、ケーシング本体に他方固定通路を設けたものである。即ち、ケーシング本体１０の前記回動棒孔１７の内面において、前記入口通路１１および出口通路１２に対し、前記回動棒孔の軸方向に間隔を存し、内円周面に沿って円弧状に長い溝からなる他方固定通路１ａ’が設けられる。該他方固定通路は両端部で前記入口通路１１および出口通路１２の高さに対応するように、回動棒孔１７内面の下側でほぼ１８０度の範囲に延びる。
【００５０】
回動棒２において、一方可動通路２ａが直径上を外円周面に貫通し、これに濾過手段２０が挿入される。該一方可動通路２ａに対し、その中心線から円周方向に一方側ほぼ９０度および他方側ほぼ９０度の間隔を存し、外円周面の軸方向に沿って長い溝からなる２本の他方可動通路２ｄ’が設けられる。これら２本の他方可動通路は、両端部で前記入口通路１１，出口通路１２および他方固定通路１ａ’の位置に対応するように、回動棒外面でほぼ１８０度偏位して軸方向に延びる。
【００５１】
そして図１６，１７で、通常運転時に一方可動通路２ａが入口通路１１，出口通路１２に連通し、他方の可動通路２ｄ’と固定通路１ａ’が入口１１，出口１２から遮断される。図１８，１９で、濾過手段交換時に、前記濾過手段２０が前記交換孔１４に対向し、前記他方可動通路２ｄ’と他方固定通路１ａ’が前記入口通路１１，出口通路１２に連通し、樹脂は流れを継続し、押出機を停止させなくても良い。なお、他方固定通路１ａ’から外部へ通じる第２排出通路１３’を設けても良い。
【００５２】
図２０〜２３は、回動棒に可動通路が１本、バイパス通路が１本設けられた場合である。即ち図２０，２１で、ケーシング本体１０には、水平線上に同心に入口通路１１，出口通路１２が設けられる。そして、回動孔１７の底で、入口通路１１に対し回動棒軸方向に偏位した位置に、放出孔１８が下方に貫通する。回動棒２の直径上を外円周面に貫通して、１本の可動通路２ａが設けられ、そこに濾過手段（多孔板３とスクリーン４）が挿入される。また、回動棒にバイパス通路が設けられる。このバイパス通路２ｅは、回動棒２の外周面で、入口通路１１に対応する位置から軸方向に前記放出孔１８に対応する位置まで延びる溝と、該溝の端部から回動棒２の半径上を９０度方向転換（可動通路２ａの出口側へ）する孔とからなる。
【００５３】
図２０，２１で、通常運転時に、可動通路２ａが入口通路１１，出口通路１２に連通する。図２２，２３で、交換時に、可動通路２ａが入口１１，出口１２から遮断され、バイパス通路２ｅが入口１１と放出孔１８とに連通され、かつ、前記濾過手段３，４が前記交換孔１４に対向する。この交換時でも、樹脂はバイパス通路２ｅを通って放出孔１８から排出され、押出機を停止させなくても良い。
【００５４】
図２４〜２７は、回動棒の可動通路が方向転換する場合である。即ち図２４，２５で、ケーシング本体１０には、水平線上に入口通路１１，それに直角下方に方向転換した出口通路１２が設けられる。そして、入口通路１１に対し回動棒軸方向に偏位した位置に、放出孔１８が後方に貫通する。回動棒２の直径上通り端部で直角に方向転換して外円周面に貫通して、１本の可動通路２ａが設けられ、そこに濾過手段２０が挿入される。また、回動棒２にバイパス通路２ｆが設けられる。このバイパス通路２ｆは、回動棒２の外周面で、入口通路１１に対応する位置から軸方向に前記放出孔１８に対応する位置まで延びる溝と、該溝の端部から回動棒２の直径上を貫通する孔とからなる。、
【００５５】
図２４，２５で、通常運転時に、可動通路２ａが入口通路１１，出口通路１２に連通する。図２６，２７で、交換時に、可動通路２ａが入口１１，出口１２から遮断され、バイパス通路２ｆが入口１１と放出孔１８と連通され、かつ、前記濾過手段２０が前記交換孔１４に対向する。この交換時でも樹脂はバイパス通路２ｆを通って放出孔１８から排出され、押出機を停止させなくても良い。
【００５６】
前記有底濾過筒２０として、前記実施例のほか、例えば多数の微細空隙（貫通孔）をもつ焼結金属からなるものや、多層の網を有底筒状に成形したものなどが適用される。また、有底濾過筒２０の底に濾過用多孔を設けてもよい。筒体は、半球殻状のものも含むものとする。
【００５７】
図２８，２９，３０で、ケーシング本体１０において、前記有底濾過筒２０や多孔板３，スクリーン４が逆洗位置に来たときの、逆洗流体の入口１側が対向する部分に連通して、強制排出手段４０が設けられる。これにより、濾過手段の逆洗作用の能力が増大する。即ち、図２８で強制排出手段４０として、動力ピストンポンプ４１が設けられ、ピストン４１ａがケーシング本体１０の孔内に摺動自在に嵌挿され、それが往復駆動手段たる油圧ピストンシリンダー機構４１ｂで往復駆動される。これにより、中通路２ａ，濾過筒２０内の流体は強制的に筒外へ排出され、同時にスクリーン４，２２の付着物が除去され、逆洗される。
【００５８】
また、図２９のように、手動ピストンポンプ４２で排出される。ピストン４２ａのピストン棒４２ｂがレバー４２ｃの中途でピン結合され、レバー４２ｃの先端はブラケット４２ｄにピン結合される。
【００５９】
また、図３０のように強制排出手段４０として、スクリューポンプ４３が設けられ、スクリュー４３ａが電動回転モーター４３ｂにより、回転される。
【００６０】
図３１は、複数の有底濾過筒が結合されたものである。複数の有底濾過筒５１は、それらの軸線を互いに平行にして、間隔を存して基板５２に取り付けられ、それぞれの有底濾過筒の開口が基板５２の孔に連通する。
【００６１】
本発明は前記した実施例や実施態様に限定されず、特許請求の精神および範囲を逸脱せず種々の変形を含む。
【００６２】
【発明の効果】本発明の構成により、通常運転時に一方可動通路が入口通路，出口通路に連通し、他方可動通路が入口，出口から遮断されるので、フィルム等の製品に樹脂合流筋などの不良部が発生しなくなった。また、前記他方可動通路の濾過手段が他方交換孔に対向するようにしたので、通常運転時に他方可動通路の濾過手段が交換できる。しかも、１本の回動棒で従来の２本に相当する機能を有するので、装置に大幅に小形，コンパクトにできるようになった。
【図面の簡単な説明】
【図１】本発明の一実施例の斜視図である。
【図２】図１のＸ２−Ｘ２（水平）断面図である。
【図３】図１，２のＹ３−Ｙ３（鉛直）拡大断面図である。
【図４】図３の作動状態説明図である。
【図５】図３の作動状態説明図である。
【図６】本発明の他の実施例（有底濾過筒）の鉛直断面図である。
【図７】本発明の他の実施例の鉛直断面図である。
【図８】図７の作動状態説明図である。
【図９】図７の作動状態説明図である。
【図１０】本発明の他の実施例の水平断面図である。
【図１１】図１０のＹ１１−Ｙ１１要部拡大縦断面図である。
【図１２】図１１の平面図である。
【図１３】図１０のＹ１３−Ｙ１３断面図である。
【図１４】図１３の作動状態図である。
【図１５】図１３の作動状態図である。
【図１６】本発明の他の実施例の鉛直断面図である。
【図１７】図１６の正面図である。
【図１８】図１６の作動状態説明図である。
【図１９】図１８の正面図である。
【図２０】本発明の他の実施例の鉛直断面図である。
【図２１】図２０の水平断面図である。
【図２２】図２０の作動状態説明図である。
【図２３】図２２の水平断面図である。
【図２４】本発明の他の実施例の鉛直断面図である。
【図２５】図２４の水平断面図である。
【図２６】図２４の作動状態説明図である。
【図２７】図２６の水平断面図である。
【図２８】本発明の強制排出手段の実施例の断面図である。
【図２９】本発明の強制排出手段の他の実施例の断面図である。
【図３０】本発明の強制排出手段の更に他の実施例の断面図である。
【図３１】本発明の有底濾過筒の他の実施例の断面図である。
【符号の説明】
１０　ケーシング本体
１ａ’　他方固定通路
１１　入口通路
１２　出口通路
１３　排出通路
１３’第２排出通路
１４　第１交換孔
１５　第２交換孔
１７　回動棒孔
１８　放出孔
２　回動棒
２ａ　第１（一方）主可動通路
２ａ’第２（他方）主可動通路
２ｂ　第１（一方）補助可動通路
２ｂ’第２（他方）一方補助可動通路
２ｃ’他方補助可動通路
２ｄ’他方可動通路
２ｅ　バイパス通路
２ｆ　バイパス通路
３　第１多孔板
３’第２多孔板
４　第１スクリーン
４’第２スクリーン
５　回動手段
７　２方切換弁
８　第１栓体
８’第２栓体
２０　有底濾過筒
２１　補強多孔筒
２２　スクリーン
２３　底部材
２４　案内部材
２５　フランジ部材
２５ａ　補助通路
３０　濾過手段
３１　短円筒台
３２　多孔板
３３　スクリーン
４０　強制排出手段
４１　動力ピストンポンプ
４１ａ　ピストン
４１ｂ　油圧ピストンシリンダ
４２　手動ピストンポンプ
４２ａ　ピストン
４２ｂ　ピストン棒
４２ｃ　レバー
４２ｄ　ブラケット
４３　スクリューポンプ
４３ａ　スクリュー
４３ｂ　電動回転モーター
５１　有底濾過筒
５２　基板
【図１】
2004034423.tif 000003
【図２】
2004034423.tif 000004
【図３】
2004034423.tif 000005
【図４】
2004034423.tif 000006
【図５】
2004034423.tif 000007
【図６】
2004034423.tif 000008
【図７】
2004034423.tif 000009
【図８】
2004034423.tif 000010
【図９】
2004034423.tif 000011
【図１０】
2004034423.tif 000012
【図１１】
2004034423.tif 000013
【図１２】
2004034423.tif 000014
【図１３】
2004034423.tif 000015
【図１４】
2004034423.tif 000016
【図１５】
2004034423.tif 000017
【図１６】
2004034423.tif 000018
【図１７】
2004034423.tif 000019
【図１８】
2004034423.tif 000020
【図１９】
2004034423.tif 000021
【図２０】
2004034423.tif 000022
【図２１】
2004034423.tif 000023
【図２２】
2004034423.tif 000024
【図２３】
2004034423.tif 000025
【図２４】
2004034423.tif 000026
【図２５】
2004034423.tif 000027
【図２６】
2004034423.tif 000028
【図２７】
2004034423.tif 000029
【図２８】
2004034423.tif 000030
【図２９】
2004034423.tif 000031
【図３０】
2004034423.tif 000032
【図３１】
2004034423.tif 000033